(57)【要約】【課題】簡単な構造でラッチヘッドの反転タイミングを制御可能な扉錠の提供を目的とする。【解決手段】ドア枠側のストライク１への係止面２とこれに交差する隣接面３を有して錠ケース４からの突出方向に付勢され、係止面２が開扉方向線（ＤＬ）に対する直交面にほぼ正対して閉扉状態を維持する扉拘束位置と、前記係止面２が開扉方向線（ＤＬ）に対する直交面に所定角度で交差し、開扉操作時に錠ケース４内への没入分力が発生する扉非拘束位置との間で回転移動可能なラッチヘッド５を有し、ラッチヘッド５に形成された係止突部６に係止レバー７を係脱させて扉非拘束位置側への回転を禁止、または許容する扉錠であって、前記ラッチヘッド５には、２個の係止突部６が突設されるとともに、一方には、扉操作部材８により解除可能な係止レバー７が、他方には、デッドボルト９の錠ケース４からの進退動に連動して動作する係止レバー７が係脱するように構成する。【選択図】　図２
2004108117.tif 000002
【特許請求の範囲】
【請求項１】
ドア枠側のストライクへの係止面とこれに交差する隣接面を有して錠ケースからの突出方向に付勢され、係止面が開扉方向線に対する直交面にほぼ正対して閉扉状態を維持する扉拘束位置と、
前記係止面が開扉方向線に対する直交面に所定角度で交差し、開扉操作時に錠ケース内への没入分力が発生する扉非拘束位置との間で回転移動可能なラッチヘッドを有し、
ラッチヘッドに形成された係止突部に係止レバーを係脱させて扉非拘束位置側への回転を禁止、または許容する扉錠であって、
前記ラッチヘッドには、２個の係止突部が突設されるとともに、一方には、扉操作部材により解除可能な係止レバーが、他方には、デッドボルトの錠ケースからの進退動に連動して動作する係止レバーが係脱する扉錠。
【請求項２】
前記２個の係止突部がラッチヘッドの高さ方向中心線に対して線対称位置に配置される請求項１記載の扉錠。
【発明の詳細な説明】
【０００１】
【発明の属する技術分野】
本発明は、扉錠に関するものである。
【０００２】
【従来の技術】
いわゆる反転ラッチを使用するに際し、デッドボルトによる施錠状態での反転ラッチの反転動作を禁止した従来例としては、例えば特許文献１記載のものが知られている。
【０００３】
この従来例において、反転ラッチは、ドア枠側ストライクへの係止面が扉開放操作によって没入方向の分力が発生しない扉拘束位置と、分力が発生する扉非拘束位置との間で回転可能であり、後端部に形成した係止段部に係止部材を係止させることにより、扉非拘束位置側への回転を規制する。
【０００４】
係止部材は、ラッチヘッドケースの平面に配置されるスライダのスライダ動作により揺動するレバーにより係止段部との係脱操作が行われる。スライダに対する操作は、クラッチ機構を介して扉に固定されるハンドル等の扉操作部材に連動しており、デッドボルトが施錠状態において、クラッチ機構を断方向に移動させることにより、扉操作部材が操作されてもラッチヘッドに対する拘束が解除されないように構成される。
【０００５】
【特許文献１】
実公平７−２６５２７号公報
【０００６】
【発明が解決しようとする課題】
しかし、上述した従来例において、ラッチヘッドの拘束、非拘束状態への遷移は、デッドボルトと扉操作部材の２カ所からの入力に対する配慮が必要であるにもかかわらず、同一の係止部材による同一の係止段部への係脱により制御される構成を取るために、クラッチ機構のように比較的複雑な機構を要することとなり、コスト上昇を招くという問題がある。
【０００７】
本発明は、以上の欠点を解消すべくなされたものであって、簡単な構造でラッチヘッドの反転タイミングを制御可能な扉錠の提供を目的とする。
【０００８】
【課題を解決するための手段】
本発明によれば上記目的は、
ドア枠側のストライク１への係止面２とこれに交差する隣接面３を有して錠ケース４からの突出方向に付勢され、係止面２が開扉方向線（ＤＬ）に対する直交面にほぼ正対して閉扉状態を維持する扉拘束位置と、
前記係止面２が開扉方向線（ＤＬ）に対する直交面に所定角度で交差し、開扉操作時に錠ケース４内への没入分力が発生する扉非拘束位置との間で回転移動可能なラッチヘッド５を有し、
ラッチヘッド５に形成された係止突部６に係止レバー７を係脱させて扉非拘束位置側への回転を禁止、または許容する扉錠であって、
前記ラッチヘッド５には、２個の係止突部６が突設されるとともに、一方には、扉操作部材８により解除可能な係止レバー７が、他方には、デッドボルト９の錠ケース４からの進退動に連動して動作する係止レバー７が係脱する扉錠を提供することにより達成される。
【０００９】
係止面２と隣接面３とを有してほぼ三角柱形状の突出部分を備えるラッチヘッド５は錠ケース４内に没入自在であり、適宜の付勢手段により突出方向に付勢される。ラッチヘッド５は、扉拘束位置と、扉非拘束位置との間で回転可能であり、一対の係止レバー７のいずれかが係止した状態で扉拘束位置から扉非拘束位置への回転が規制される。
【００１０】
ラッチヘッド５を扉拘束位置に規制した状態で開扉状態から扉を閉じると、隣接面３がストライク１に衝接してラッチヘッド５に没入分力を与え、その結果、ラッチヘッド５は錠ケース４内に没入して閉扉操作を可能にする。閉扉状態において、係止面２は、開扉方向線（ＤＬ）に対する直交面にほぼ正対しているために、開扉方向の力を扉に与えても没入方向の分力は発生しないために、閉扉状態が維持される。
【００１１】
これに対し、ラッチヘッド５への規制を解除した状態で開扉方向の力を扉に与えると、係止面２に与えられる押圧力によりラッチヘッド５は扉非拘束位置まで回転する。扉非拘束位置において係止面２は、開扉方向線（ＤＬ）に対する直交面に対して没入分力発生方向に傾いているために、扉への開扉操作力によりラッチヘッド５は錠ケース４内に没入し、開扉操作を許容する。
【００１２】
ラッチヘッド５に対する拘束、解除は、ラッチヘッド５に形成される２個の係止突部６に係止レバー７を係脱させることにより行われ、一方の係止レバー７がデッドボルト９の施解錠状態に連動することから、施錠状態におけるラッチヘッド５の反転動作が禁止される。
【００１３】
したがってこの発明において、施錠状態においてラッチヘッド５が反転することがないために、施錠状態においてドアハンドル等の扉操作部材８を操作しても、ラッチヘッド５が反転、没入し、デッドボルト９に過大な背圧が与えられることがなくなる。
【００１４】
また、ラッチヘッド５への拘束、非拘束の選択は、ラッチヘッド５に別個に形成される係止突部６に係止レバー７を直接係脱することにより行われるために、従来例のように、クラッチ機構が不要となり、構造が簡単になる。
【００１５】
また、一対の係止突部６が、ラッチヘッド５の高さ方向中心線に対して線対称位置に配置される扉錠を構成した場合には、開放方向が勝手違いの扉にも、ラッチヘッド５のみを幅方向に対して反転させるだけでそのまま使用できるために、部品共用化が図られる。
【００１６】
【発明の実施の形態】
図１〜４に電気錠として構成された本発明の実施の形態を示す。電気錠は、ボックス形状に形成される錠ケース４内に収容されるモータ１０によりデッドボルト９を錠ケース４から進退させるように構成される。モータ１０の駆動力は、ギア列１１を介してデッドドライブカム１２に回転力として伝達され、該デッドドライブカム１２の操作アーム１２ａによりデッドボルト９を図１において矢印Ｄ９方向に進退駆動する。
【００１７】
なお、図１、２において１３はデッドボルト９の施解錠状態を検知するためのマイクロスイッチを示す。
【００１８】
上記デッドボルト９の下方にはラッチヘッド５が配置される。ラッチヘッド５は、図２、３に示すように、係止面２と、これに鋭角で交差する隣接面３とを側壁面とする所定高さ（Ｈ５）を有する三角柱部分を備え、該三角柱部分の後端部には２枚の制御片５ａ、５ａが突設される。なお、本明細書において、電気錠を扉に取り付けた姿勢において上下方向を高さ方向、左右方向を幅方向とする。
【００１９】
また、上記ラッチヘッド５の三角柱部分の幅方向寸法（Ｗ５）は、図２（ｂ）に示すように、閉扉状態ではラッチヘッド５の係止面２がデッドボルト９に先立ってストライク１に先当たりするようにデッドボルト９の幅方向寸法（Ｗ９）より大寸に形成される。この結果、閉扉状態においてデッドボルト９はストライク１に直接接触することがなく、施解錠操作時におけるモータ１０への過大負荷が防止される。
【００２０】
また、各制御片５ａの基端部には、一対の軸部５ｂが上下方向に突設されるとともに、制御片５ａの外側壁面には、制御片５ａの長手方向に長い係止突部６が突設される。これら一対の係止突部６は、図１〜３に示すように、高さ方向中心線（ＨＣ）に対して線対称位置に配置される。
【００２１】
以上のように構成されるラッチヘッド５は、図１、２に示すように、圧縮スプリング１４により錠ケース４外方に付勢されるスライダ１５を介して飛び出し方向に付勢されており、圧縮スプリング１４の付勢力に抗して錠ケース４側に押し付けると、錠ケース４内に没入できる。
【００２２】
さらに、ラッチヘッド５は、ラッチケース１６内で上記軸部５ｂが支承され、図２（ｂ）に示すように、係止面２がストライク１、正確には、扉開扉操作時における扉の移動方向線（開扉方向線ＤＬ）に対する直交面にほぼ平行に正対する扉拘束位置と、図２（ｃ）に示すように、係止面２が移動方向線に対して傾斜し、移動方向線方向からの力に対して没入方向の分力（Ｆ）が発生する扉非拘束位置との間で回転できる。
【００２３】
図２に示すように、上記ラッチヘッド５を扉拘束位置に拘束するために、一対の係止レバー７、７が配置される。一方の係止レバー７（以下、「ハンドル側係止レバー７Ａ」という。）は、枢軸７ａ周りに回転自在であり、一端部に上記ラッチヘッド５の係止突部６の内面に一方が当接する２片１７ａ、１７ａを有して断面コ字状に形成される係合部１７を備える。
【００２４】
また、このハンドル側係止レバー７Ａの反対端には、扉外表面に固定されるハンドル（扉操作部材８）により操作されるハンドルレバー操作部材１８に接触する検知部７ｂが設けられる。
【００２５】
ハンドル側係止レバー７Ａは、トーションスプリング１９により上記係合部１７が係止突部６に係合する方向に付勢されており、ハンドル８に開扉操作が加えられると、図２（ａ）において矢印Ａ１８方向に移動してハンドル側係止レバー７Ａを反時計方向に回転させる。ハンドル側係止レバー７Ａの回転に伴って係合部１７の係止突部６との係合が解除される。
【００２６】
これに対し、他方の係止レバー７（以下、「デッドボルト側係止レバー７Ｂ」という。）は、上述したハンドル側係止レバー７Ａと同様に、枢軸７ａにより回転自在に軸支されるとともに、一端にラッチヘッド５の係止突部６に係合可能な係合部１７を備える。
【００２７】
また、デッドボルト側係止レバー７Ｂの一端に形成される検知部７ｂは、上記デッドボルト９の施解錠状態を検知するためのマイクロスイッチ１３に当接し、デッドボルト９の進退動に追随する。すなわち、デッドボルト９が図１、２に示すように、施錠位置まで突出すると、マイクロスイッチ１３の検知レバー１３ａは”ＯＦＦ”位置に復帰し、これに伴ってデッドボルト側係止レバー７Ｂは係合部１７が係止突部６に係合する方向に回転する。これに対し、デッドボルト９が図４に示すように解錠位置まで没入すると、デッドボルト９により、デッドボルト側係止レバー７Ｂは枢軸７ａを中心に時計方向に回転し、デッドボルト９と平行姿勢となり、上記係合部１７における係合が解除される。同時に検知部７ｂによりマイクロスイッチ１３の検知レバー１３ａが押し下げられる。
【００２８】
したがってこの実施の形態において、デッドボルト９が施錠状態にある場合には、デッドボルト側係止レバー７Ｂの係合部１７がラッチヘッド５の係止突部６に係合しているために、ハンドルを操作してもラッチヘッド５を反転させることができない。この結果、モータ１０を駆動してデッドボルト９の解錠操作を行う場合にも、デッドボルト９には背圧がかからないために、モータ１０への過大負荷が防止できる。
【００２９】
この状態から、デッドボルト９が解錠状態に移行すると、デッドボルト側係止レバー７Ｂの係合部１７とラッチヘッド５の係止突部６との係合が解除する。この後、ハンドルを操作してハンドル側係止レバー７Ａのラッチヘッド５との係合を解除すると、ラッチヘッド５は反転可能となり、開扉操作を行うと、図３（ｂ）において矢印Ａ方向に回転して、扉非拘束位置に反転し、上述したように、ラッチヘッド５が没入して扉の開放が許容される。
【００３０】
扉非拘束位置において、係止レバー７の係合部１７は各係止突部６の端面６ａに乗り上げた状態で、この後、扉を閉じると、隣接面３がストライク１に押されてラッチヘッド５が回転し、扉拘束位置に復帰する。ラッチヘッド５の扉拘束位置への回転に伴って、トーションスプリングにより付勢されたハンドル側係止レバー７Ａの係合部１７は係止突部６に係合し、以後、扉拘束位置に拘束される。
【００３１】
また、上述したように、一対の係止レバー７の係合部１７は、デッドボルト側係止レバー７Ｂが図２において上方の係止突部６に、ハンドル側係止レバー７Ａが下方、すなわち高さ方向反対側の係止突部６に係止するが、係止突部６の位置が、高さ方向中心線（ＨＣ）に対して線対称位置に設けられるこの実施の形態においては、図３（ｂ）と図３（ｃ）に示す関係、すなわち、扉の開き方向が勝手違いの場合には、ラッチヘッド５を高さ方向中心線（ＨＣ）に対して反転させるだけでそのまま使用することができる。なお、図３（ｂ）、（ｃ）において扉の回転中心方向を矢印Ｂで示す。
【００３２】
【発明の効果】
以上の説明から明らかなように、本発明によれば、簡単な構造でラッチヘッドの反転タイミングを制御することができる。
【図面の簡単な説明】
【図１】本発明を示す図である。
【図２】図１の要部拡大図で、（ａ）はラッチヘッド周辺の拡大図、（ｂ）は（ａ）の２Ｂ方向矢視図、（ｃ）はラッチヘッドが反転した状態における（ａ）の２Ｂ方向矢視図である。
【図３】ラッチヘッドを示す図で、（ａ）は斜視図、（ｂ）は平面図、（ｃ）は扉開放方向が反転した場合のラッチヘッドの関係を示す平面図である。
【図４】解錠状態を示す図である。
【符号の説明】
１　　　　ストライク
２　　　　係止面
３　　　　隣接面
４　　　　錠ケース
５　　　　ラッチヘッド
６　　　　係止突部
７　　　　係止レバー
８　　　　扉操作部材
９　　　　デッドボルト
ＤＬ　　　開扉方向線
【図１】
2004108117.tif 000003
【図２】
2004108117.tif 000004
【図３】
2004108117.tif 000005
【図４】
2004108117.tif 000006